(57)【要約】【課題】簡単な構成により優れた意匠性および視認性を確保できる表示機構、時計用ムーブメントおよび時計を提供する。【解決手段】表示機構５は、情報を表示する表示部３０と、表示部３０から露出され、ピエゾクロミズム材料を主成分とする材料により形成された表示体３１と、表示体３１を情報に対応して変色させる変色機構４０と、を備えている。情報は、時計１に搭載されたぜんまいの巻き上げ量に関する情報であり、変色機構４０は、巻き上げ量に対応して回動するカム４１と、カム４１に接する従節部４７を有し、カム４１の回動に対応して軸芯Ｏ周りに回動するレバー４６と、を備え、レバー４６には、レバー４６の回動に対応して表示体３１に対して外力を付与する外力付与部４９が設けられている。【選択図】図２
2015166733.tif 000002
【特許請求の範囲】
【請求項１】
情報を表示する表示部と、
前記表示部から露出され、ピエゾクロミズム材料を主成分とする材料により形成された表示体と、
前記表示体を前記情報に対応して変色させる変色機構と、
を備えた表示機構。
【請求項２】
請求項１に記載の表示機構であって、
前記情報は、時計に搭載されたぜんまいの巻き上げ量に関する情報であり、
前記変色機構は、
前記巻き上げ量に対応して回動するカムと、
前記カムに接する従節部を有し、前記カムの回動に対応して軸芯周りに回動するレバ  ーと、
を備え、
前記レバーには、前記レバーの回動に対応して前記表示体に対して外力を付与する外力付与部が設けられていることを特徴とする表示機構。
【請求項３】
請求項１に記載の表示機構であって、
前記情報は、時に関する情報であり、
前記変色機構は、
２４時間で一回転するカムと、
前記カムに接する従節部を有し、前記カムの回転に対応して軸芯周りに回動するレバ  ーと、
を備え、
前記レバーには、前記レバーの回動に対応して前記表示体に対して外力を付与する外力付与部が設けられていることを特徴とする表示機構。
【請求項４】
請求項２または３に記載の表示機構であって、
前記表示体はピエゾクロミズム溶液であり、
前記外力付与部は、前記レバーの前記従節部を前記カムに向かって付勢する弾性部を備えたことを特徴とする表示機構。
【請求項５】
請求項２または３に記載の表示機構であって、
前記表示体はピエゾクロミズム溶液であり、
前記レバーが弾性変形することにより前記従節部を前記カムに向かって付勢することを特徴とする表示機構。
【請求項６】
請求項１に記載の表示機構であって、
前記情報は、時に関する情報であり、
前記変色機構は、
２４時間で一回転するカムと、
一端部に前記カムに接する従節部を有し、前記カムの回転に対応して軸芯周りに回動  するとともに他端部が揺動するレバーと、
を備え、
前記表示体は、一対設けられ、
前記レバーの他端部には、前記レバーの回動に対応して、一対の前記表示体に対して所定周期で交互に外力を付与する外力付与部が設けられていることを特徴とする表示機構。
【請求項７】
請求項１に記載の表示機構であって、
前記情報は、時に関する情報であり、
前記変色機構は、
所定時間で一回転するカムと、
前記カムと接することにより前記表示体に対して外力を付与する外力付与部と、
を備え、
前記外力付与部は、前記カムよりも前記カムの径方向の外側において、前記カムの周方向に沿うように複数配置されていることを特徴とする表示機構。
【請求項８】
請求項１に記載の表示機構であって、
前記情報は、時に関する情報であり、
前記変色機構は、
所定時間で中心軸周りに一回転する回転体と、
前記回転体の軸方向の一方側に配置され、前記中心軸周りに設けられた複数の孔部を  有する規制部材と、
前記回転体に設けられ、前記回転体の回転に対応して前記孔部を通じて出没自在な突  起部と、
前記突起部と接することにより前記表示体に対して外力を付与する外力付与部と、
を備え、
前記外力付与部は、前記規制部材を挟んで前記回転体とは前記軸方向における反対側において、前記回転体の周方向に沿うように複数配置されていることを特徴とする表示機構。
【請求項９】
請求項１に記載の表示機構であって、
前記情報は、時に関する情報であり、
前記表示部は、
午前であるとの情報を示す第一表示部と、
午後であるとの情報を示す第二表示部と、
時刻の情報を示す第三表示部と、
を有し、
前記変色機構は、
所定時間で中心軸周りに一回転するカムと、
前記カムに接する第一従節部を有し、前記カムの回転に対応して第一軸周りに回動す  る第一レバーと、
前記カムの前記中心軸を挟んで前記第一レバーとは反対側に設けられ、前記カムに接  する第二従節部を有し、前記カムの回転に対応して第二軸周りに回動する第二レバーと  、
一端が前記カムに連結され、他端が前記カムの回転に対応して、前記第三表示部に対  応する領域を往復移動可能なロッドを含むクランク機構と、
を有し、
前記第一レバーには、前記第一レバーの回動に対応して、前記第一表示部の前記表示体に対して外力を付与する第一外力付与部が設けられ、
前記第二レバーには、前記第二レバーの回動に対応して、前記第二表示部の前記表示体に対して外力を付与する第二外力付与部が設けられ、
前記クランク機構には、前記他端の往復移動に対応して、前記第三表示部の前記表示体に対して外力を付与する第三外力付与部が設けられていることを特徴とする表示機構。
【請求項１０】
請求項１から９のいずれか１項に記載の表示機構を備えたことを特徴とする時計用ムーブメント。
【請求項１１】
請求項１０に記載の時計用ムーブメントを備えたことを特徴とする時計。
【発明の詳細な説明】
【技術分野】
【０００１】
この発明は、表示機構、時計用ムーブメントおよび時計に関するものである。
【背景技術】
【０００２】
従来から、曜日等を扇形状の目盛りで表示するとともに、この目盛りを指す指針（指示部）が扇形状の中心軸周りに一方側から他方側へ向かって運針後、瞬時に他方側から一方側へ戻る運針を繰り返す、いわゆるレトログラード表示を備えた機械式時計が知られている（例えば、特許文献１参照）。
このような表示機構において曜日を表示させる場合を例に説明する。
扇形の表示領域の一端部（他方側）から順に終端部（一方側）までには、曜日である月、火、水・・・日が表示されており、運針は、時間経過とともに現在の曜日を指し示す（すなわち、月から日まで指し示す）。そして、月曜日を迎えると、運針は、表示領域に表示された日から月まで瞬間的に戻るようになっている。
【０００３】
特許文献１に記載の表示機構は、筒車によって駆動される曜中間車と、この曜中間車を介して回転するカムと、カムに当接された状態でばねにより付勢される回動可能なレバーと、このレバーに設けられた歯車部に連動し、かつ、曜針を取り付け可能な小曜車とを備えている。特許文献１に記載の発明によれば、レバーがカムの回転中心から離れる方向に回動するのにともない、レバーに対するばねの付勢力が蓄積され、この蓄積された付勢力がカムの周期終了時に解放されることによって、曜針を瞬間的に復帰（帰零）させることができるとされている。
【先行技術文献】
【特許文献】
【０００４】
【特許文献１】特開２００６−２２６９９０号公報
【発明の概要】
【発明が解決しようとする課題】
【０００５】
しかしながら、従来技術にあっては、多くの歯車やカム、レバー等を必要とするため、構造が複雑であり、設置場所も限定されるという点で課題が残されている。また、一般にレトログラード表示は、文字板に付された目盛りと針とにより情報を認識するが、意匠性や視認性といった点においても改善の余地が残されている。
【０００６】
そこで、本発明は、上記事情に鑑みたものであって、簡単な構成により優れた意匠性および視認性を確保できる表示機構、時計用ムーブメントおよび時計の提供を課題とする。
【課題を解決するための手段】
【０００７】
上記の課題を解決するため、本発明の表示機構は、情報を表示する表示部と、前記表示部から露出され、ピエゾクロミズム材料を主成分とする材料により形成された表示体と、前記表示体を前記情報に対応して変色させる変色機構と、を備えたことを特徴とする。
【０００８】
本発明によれば、表示部と、表示体と、変色機構とにより簡単な構成で表示機構を形成できるので、レイアウト性に優れるとともに低コストな表示機構とすることができる。また、表示体を変色させることにより情報を表示することができるので、表示機構の優れた意匠性および視認性を確保できる。
【０００９】
また、前記情報は、時計に搭載されたぜんまいの巻き上げ量に関する情報であり、前記変色機構は、前記巻き上げ量に対応して回動するカムと、前記カムに接する従節部を有し、前記カムの回動に対応して軸芯周りに回動するレバーと、を備え、前記レバーには、前記レバーの回動に対応して前記表示体に対して外力を付与する外力付与部が設けられていることを特徴としている。
【００１０】
本発明によれば、ぜんまいの巻き上げ量に対応して回動するカムと、カムの回動に対応して軸芯周りに回動するレバーと、を備え、レバーには、レバーの回動に対応して表示体に対して外力を付与する外力付与部が設けられているので、ぜんまいの巻き上げ量に対応して表示体に外力を付与できる。これにより、ピエゾクロミズム材料を主成分とする材料により形成された表示体は、外力付与部により付与される圧縮応力または引っ張り応力によって、ぜんまいの巻き上げ量に対応して変色することができるので、使用者は、一目でぜんまいの巻き上げ量を把握できる。したがって、表示機構の優れた意匠性および視認性を確保できる。
【００１１】
また、前記情報は、時に関する情報であり、前記変色機構は、２４時間で一回転するカムと、前記カムに接する従節部を有し、前記カムの回転に対応して軸芯周りに回動するレバーと、を備え、前記レバーには、前記レバーの回動に対応して前記表示体に対して外力を付与する外力付与部が設けられていることを特徴としている。
【００１２】
本発明によれば、２４時間で一回転する回動するカムと、カムの回動に対応して軸芯周りに回動するレバーと、を備え、レバーには、レバーの回動に対応して表示体に対して外力を付与する外力付与部が設けられているので、時の経過に対応して表示体に外力を付与できる。これにより、ピエゾクロミズム材料を主成分とする材料により形成された表示体は、外力付与部により付与される圧縮応力または引っ張り応力によって、時の経過に対応して変色することができるので、使用者は、一目で時に関する情報を把握できる。したがって、表示機構の優れた意匠性および視認性を確保できる。
【００１３】
また、前記表示体はピエゾクロミズム溶液であり、前記外力付与部は、前記レバーの前記従節部を前記カムに向かって付勢する弾性部を備えたことを特徴としている。
【００１４】
本発明によれば、外力付与部は、レバーの従節部をカムに向かって付勢する弾性部を備えているので、レバーの従節部がカムに対して常に接することができる。これにより、レバーは、カムの回転に対応して確実に回動できるので、ピエゾクロミズム溶液からなる表示体に対して外力を確実に付与するとともに、表示体を変色させることができる。
【００１５】
また、前記表示体はピエゾクロミズム溶液であり、前記レバーが弾性変形することにより前記従節部を前記カムに向かって付勢することを特徴としている。
【００１６】
本発明によれば、レバーが弾性変形することにより従節部をカムに向かって付勢するので、別部品として弾性体を設けることなく、ピエゾクロミズム溶液からなる表示体に対して外力を確実に付与するとともに、表示体を変色させることができる。したがって、さらに簡単な構造で低コストな表示機構とすることができる。
【００１７】
また、前記情報は、時に関する情報であり、前記変色機構は、２４時間で一回転するカムと、一端部に前記カムに接する従節部を有し、前記カムの回転に対応して軸芯周りに回動するとともに他端部が揺動するレバーと、を備え、前記表示体は、一対設けられ、前記レバーの他端部には、前記レバーの回動に対応して、一対の前記表示体に対して所定周期で交互に外力を付与する外力付与部が設けられていることを特徴としている。
【００１８】
本発明によれば、レバーの回動に対応して、一対の表示体に対して所定周期で交互に外力を付与する外力付与部が設けられているので、所定周期で一対の表示体を交互に変色させることができる。したがって、使用者は、一目で時に関する情報を把握できるとともに、表示機構の意匠性および視認性をさらに向上させることができる。
【００１９】
また、前記情報は、時に関する情報であり、前記変色機構は、所定時間で一回転するカムと、前記カムと接することにより前記表示体に対して外力を付与する外力付与部と、を備え、前記外力付与部は、前記カムよりも前記カムの径方向の外側において、前記カムの周方向に沿うように複数配置されていることを特徴としている。
【００２０】
本発明によれば、外力付与部は、所定時間で一回転するカムの径方向の外側において周方向に沿うように複数配置されているので、カムの位置に対応して、例えば時刻等の時に関する情報を表示することができる。したがって、使用者は、一目で時に関する情報を把握できるとともに、表示機構の意匠性および視認性をさらに向上させることができる。
【００２１】
また、前記情報は、時に関する情報であり、前記変色機構は、所定時間で中心軸周りに一回転する回転体と、前記回転体の軸方向の一方側に配置され、前記中心軸周りに設けられた複数の孔部を有する規制部材と、前記回転体に設けられ、前記回転体の回転に対応して前記孔部を通じて出没自在な突起部と、前記突起部と接することにより前記表示体に対して外力を付与する外力付与部と、を備え、前記外力付与部は、前記規制部材を挟んで前記回転体とは前記軸方向における反対側において、前記回転体の周方向に沿うように複数配置されていることを特徴としている。
【００２２】
本発明によれば、回転体の回転に対応して孔部を通じて出没自在な突起部と、突起部と接することにより表示体に対して外力を付与する外力付与部と、を備え、外力付与部は、回転体の周方向に沿うように複数配置されているので、回転体の位置に対応して、例えば時刻等の時に関する情報を表示することができる。したがって、使用者は、一目で時に関する情報を把握できるとともに、表示機構の意匠性および視認性をさらに向上させることができる。
【００２３】
また、前記情報は、時に関する情報であり、前記表示部は、午前であるとの情報を示す第一表示部と、午後であるとの情報を示す第二表示部と、時刻の情報を示す第三表示部と、を有し、前記変色機構は、所定時間で中心軸周りに一回転するカムと、前記カムに接する第一従節部を有し、前記カムの回転に対応して第一軸周りに回動する第一レバーと、前記カムの前記中心軸を挟んで前記第一レバーとは反対側に設けられ、前記カムに接する第二従節部を有し、前記カムの回転に対応して第二軸周りに回動する第二レバーと、一端が前記カムに連結され、他端が前記カムの回転に対応して、前記第三表示部に対応する領域を往復移動可能なロッドを含むクランク機構と、を有し、前記第一レバーには、前記第一レバーの回動に対応して、前記第一表示部の前記表示体に対して外力を付与する第一外力付与部が設けられ、前記第二レバーには、前記第二レバーの回動に対応して、前記第二表示部の前記表示体に対して外力を付与する第二外力付与部が設けられ、前記クランク機構には、前記他端の往復移動に対応して、前記第三表示部の前記表示体に対して外力を付与する第三外力付与部が設けられていることを特徴としている。
【００２４】
本発明によれば、表示部は、午前であるとの情報を示す第一表示部と、午後であるとの情報を示す第二表示部と、時刻の情報を示す第三表示部と、を有しているので、使用者は、一目で時に関する情報を把握できるとともに、表示機構の意匠性および視認性をさらに向上させることができる。
【００２５】
また、本発明の時計用ムーブメントは、上述の表示機構を備えたことを特徴とする。
また、本発明の時計は、上述の時計用ムーブメントを備えたことを特徴とする。
【００２６】
本発明によれば、簡単な構成により優れた意匠性および視認性を確保できる表示機構を備えているので、小型かつ低コストで意匠性および視認性に優れた時計用ムーブメントおよび時計を提供できる。
【発明の効果】
【００２７】
本発明によれば、表示部と、表示体と、変色機構とにより簡単な構成で表示機構を形成できるので、レイアウト性に優れるとともに低コストな表示機構とすることができる。また、表示体を変色させることにより情報を表示することができるので、表示機構の優れた意匠性および視認性を確保できる。
【図面の簡単な説明】
【００２８】
【図１】第一実施形態に係る時計の外観図である。
【図２】第一実施形態に係る表示機構を模式的に表した説明図である。
【図３】第一実施形態の第一変形例に係る表示機構を模式的に表した説明図である。
【図４】第一実施形態の第二変形例に係る表示機構を模式的に表した説明図である。
【図５】第二実施形態に係る表示機構を模式的に表した説明図である。
【図６】第二実施形態に係る表示機構を模式的に表した説明図である。
【図７】第三実施形態に係る時計の外観図である。
【図８】第三実施形態に係る表示機構を模式的に表した説明図である。
【図９】第三実施形態に係る表示機構を模式的に表した説明図である。
【図１０】第四実施形態に係る表示機構を模式的に表した説明図である。
【図１１】第四実施形態の第一変形例に係る表示機構を模式的に表した説明図である。
【図１２】第四実施形態の第二変形例に係る表示機構を模式的に表した説明図である。
【図１３】第五実施形態に係る表示機構を模式的に表した説明図である。
【図１４】図１３におけるＡ−Ａ線に沿った断面図である。
【図１５】第五実施形態の変形例に係る表示機構を模式的に表した説明図である。
【図１６】第六実施形態に係る表示機構を模式的に表した説明図である。
【発明を実施するための形態】
【００２９】
以下に、この発明の実施形態について、図面を用いて説明する。
以下では、第一実施形態に係る機械式の腕時計（請求項の「時計」に相当。）およびこの腕時計に組み込まれたムーブメント（請求項の「時計用ムーブメント」に相当。）について説明したあと、第一実施形態に係る表示機構の詳細について説明する。
【００３０】
（第一実施形態、時計）
一般に、時計の駆動部分を含む機械体を「ムーブメント」と称する。このムーブメントに文字板および針を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。
【００３１】
図１は、第一実施形態に係る時計１の外観図である。
図１に示すように、本実施形態の時計１のコンプリートには、ケース本体３ａ、不図示の裏蓋、およびカバーガラス３ｂを備えた時計ケース３内に、ムーブメント１０と、時刻に関する情報を示す目盛り２ａを有する文字板２と、時を示す時針４ａ、分を示す分針４ｂおよび秒を示す秒針４ｃを含む針４と、が設けられている。
文字板２には、時針４ａ、分針４ｂおよび秒針４ｃの回転中心である時計１の中心よりも平面視で目盛り２ａの６時側に、０時から２４時の時の情報の表示について表示するレトログラード表示領域２１が設けられている。レトログラード表示領域２１では、指示部６が移動して、例えば２４時間の時の情報を表示する。なお、図１においては、レトログラード表示領域２１を二点鎖線で図示している。
【００３２】
ムーブメント１０は、ムーブメント１０の基板を構成する地板１２を有している。この地板１２の表側の面には、てんぷ、がんぎ車、アンクル等を含む図示しない脱進・調速機構と、四番車、三番車、二番車および香箱車を含む図示しない表輪列と、が少なくとも配置されている。表輪列の各車は、地板１２と不図示の輪列受との間で回転可能に軸支されている。
【００３３】
地板１２の図示しない巻真案内穴には、巻真８が回転可能に組み込まれている。この巻真８は、例えば、日付の修正や、時刻表示（時および分の表示）を修正する際に用いられる時計部品である。巻真８の一端部には、時計ケース３の側方に位置するりゅうず７が取付けられている。
巻真８は、巻真案内穴によって回転可能に支持されているとともに、巻真８の延在方向に例えば２段階に引き出し操作可能とされている。この際、巻真８は、地板１２の表側に配置された、おしどり、かんぬきやかんぬきばね等により、延在方向の位置が決められている。
【００３４】
（表示機構）
本実施形態の時計１のコンプリートには、情報を表示する表示部３０と、表示部３０から露出された表示体３１と、表示体３１を情報に対応して変色させる変色機構４０と、を備えた表示機構５が設けられている。以下、表示機構５の詳細について説明する。
【００３５】
表示部３０は、文字板２に形成された開口部１５から、ムーブメント１０に設けられた表示体３１が露出されることにより形成される。
本実施形態の表示機構５は、表示体３１がムーブメント１０に設けられた不図示のぜんまいの巻き上げ量に関する情報（以下、「パワーリザーブ量」という。）を色により表示する。表示体３１は、パワーリザーブ量に対応して変色機構４０によって変色される。
【００３６】
図２は、第一実施形態に係る表示機構５を模式的に表した説明図であって、図２（ａ）は、パワーリザーブ量が最小の状態を示す図であり、図２（ｂ）は、パワーリザーブ量が最大の状態を示す図である。なお、図２においては、文字板２を透過して図示するとともに、文字板２の開口部１５を二点鎖線で図示している。
図２に示すように、表示体３１は、いわゆるピエゾクロミズム材料を主成分とする材料により形成されたピエゾクロミズムフィルム３２である。ここで、ピエゾクロミズム材料とは、外部から圧縮応力または引っ張り応力が付与されることにより、可逆的に色が変化する材料をいう。本実施形態のピエゾクロミズムフィルム３２は、無負荷状態から圧縮応力または引っ張り応力が付与されることにより、本体部３３が例えば黄色から赤色に変色可能なように構成されている。変色する際の色の濃度は、例えば圧縮応力または引っ張り応力の荷重の大きさに対応しており、荷重が大きいほど濃くなるように構成されている。
【００３７】
ピエゾクロミズムフィルム３２は、時計１の文字板２に形成された開口部１５に対応する位置に設けられている。ピエゾクロミズムフィルム３２は、長尺の板状に形成された本体部３３を備えており、一端３１ａが例えば地板１２に固定されており、他端３１ｂが後述のレバー４６に固定されている。ピエゾクロミズムフィルム３２の本体部３３の一部は、開口部１５を通じて外側に露出しており、使用者が視認可能となっている。
【００３８】
変色機構４０は、カム４１と、レバー４６と、を備えている。
カム４１は、パワーリザーブ機構９０の巻印車９１のかな９１ａと噛合している。ここで、パワーリザーブ機構とは、ぜんまいの巻き上げ量（すなわちパワーリザーブ量）を表示する機構であって、不図示のパワーリザーブ針と、パワーリザーブ針と噛合する巻印車９１と、を備えている。巻印車９１は、ぜんまいのパワーリザーブ量に対応して中心軸Ｑ周りに回動するとともに、パワーリザーブ針を駆動させる。巻印車９１の回動角度は、例えば１２０°程度に設定されている。
【００３９】
カム４１は、巻印車９１と噛合しており、巻印車９１の回動に対応して中心軸Ｐ周りに回動する。
カム４１には、カム４１の径方向に突出するカム凸部４３が設けられている。カム凸部４３の先端は、凸曲面状に形成されており、後述するレバー４６の内周面４７ａに対して摺接可能となっている。
【００４０】
図２（ａ）に示すように、パワーリザーブ量が最小の状態において、カム凸部４３は、時計１の１２時−６時方向に平行であって、中心軸Ｐと直交する直線Ｌに対して、反時計回り方向に角度αの位置に配置される。また、図２（ｂ）に示すように、パワーリザーブ量が最大の状態において、カム凸部４３は、直線Ｌに対して、時計回り方向に角度βの位置に配置される。カム４１は、パワーリザーブ量に対応して、中心軸Ｐ周りに角度（α＋β）にわたって回動可能となっている。
【００４１】
レバー４６は、円弧状に形成されて内周面４７ａがカム凸部４３に接する従節部４７と、従節部４７のピエゾクロミズムフィルム３２側の端部からピエゾクロミズムフィルム３２に向かって延びる外力付与部４９と、を備えている。レバー４６は、従節部４７と外力付与部４９との境界部分が地板１２と不図示の輪列受とによって軸支されており、軸芯Ｏ周りに回動可能となっている。
パワーリザーブ量が最小の状態において、従節部４７は、内周面４７ａがカム４１の外周面に漸次接近するように湾曲形成されている。
レバー４６の内周面４７ａは、カム４１が回動したときに、カム４１のカム凸部４３に摺接される。また、カム４１が時計回り方向に回転するにつれて、レバー４６の従節部４７は、カム凸部４３により押し上げられる。これにより、レバー４６は、レバー４６の内周面４７ａがカム４１の外周面から離反し、軸芯Ｏ周りに回動する。
【００４２】
外力付与部４９は、ピエゾクロミズムフィルム３２の他端３１ｂに対して、例えば接着剤等により固定されている。
図２（ａ）に示すように、カム４１のカム凸部４３が直線Ｌに対して反時計回り方向に角度αの位置に配置されているとき、外力付与部４９は、ピエゾクロミズムフィルム３２に対して負荷を与えない位置に配置される。このとき、ピエゾクロミズムフィルム３２は、無負荷状態となっている。
【００４３】
また、図２（ａ）に示す状態からカム４１が時計回り方向に回転すると、レバー４６が軸芯Ｏを中心として、反時計回り方向に回動する。また、レバー４６の外力付与部４９は、ピエゾクロミズムフィルム３２の本体部３３から漸次離反する。このとき、外力付与部４９からピエゾクロミズムフィルム３２に付与される引っ張り応力は、漸次大きくなる。
【００４４】
また、図２（ｂ）に示すように、カム４１のカム凸部４３が直線Ｌに対して時計回り方向に角度βの位置に配置されたとき、外力付与部４９は、ピエゾクロミズムフィルム３２の本体部３３から最も離間した位置に配置される。このとき、ピエゾクロミズムフィルム３２には、最大の引っ張り応力が付与される。
【００４５】
続いて、上述のように構成された表示機構５を備えた時計１の作用について説明する。
以下では、パワーリザーブ量が最小の状態から、ぜんまいが巻き上げられてパワーリザーブ量が最大の状態になった後、ぜんまいが巻き戻されて再びパワーリザーブ量が最小の状態になるまでの時計１の作用について説明する。
図２（ａ）に示すように、パワーリザーブ量が最小の状態のとき、ピエゾクロミズムフィルム３２は無負荷状態となっている。したがって、ピエゾクロミズムフィルム３２は、黄色となっている。
【００４６】
次いで、りゅうず７（図１参照）を回転させてぜんまいを巻き上げると、パワーリザーブ量が最小の状態から、漸次増加する。これにより、パワーリザーブ機構９０の巻印車９１は、ぜんまいの巻き上げ量、すなわちパワーリザーブ量の増加に対応して反時計回り方向に回転する。また、巻印車９１と噛合するカム４１は、巻印車９１の回転に対して時計回り方向に回転する。
【００４７】
レバー４６の従節部４７は、カム凸部４３により押し上げられて、レバー４６が軸芯Ｏ周りに回動する。このとき、外力付与部４９は、ピエゾクロミズムフィルム３２から離反する方向に移動し、ピエゾクロミズムフィルム３２の本体部３３に引っ張り応力を付与する。ピエゾクロミズムフィルム３２の本体部３３は、増加する引っ張り応力に対応して、黄色から赤色に変色する。
【００４８】
図２（ｂ）に示すように、りゅうず７（図１参照）をさらに回転させ、ぜんまいの巻き上げ量、すなわちパワーリザーブ量が最大の状態となったときに、カム４１のカム凸部４３が直線Ｌに対して時計回り方向に角度βの位置に配置される。このとき、外力付与部４９がピエゾクロミズムフィルム３２の本体部３３から最も離間するとともに、ピエゾクロミズムフィルム３２の本体部３３に作用する引っ張り応力が最大となる。したがって、ピエゾクロミズムフィルム３２の本体部３３は、最も濃い赤色に変色するとともに、パワーリザーブ量が最大の状態であることを表示することができる。
【００４９】
次いで、ぜんまいが巻き戻されると、時針４ａ、分針４ｂおよび秒針４ｃが運針されて時を刻む。これにより、パワーリザーブ機構９０の巻印車９１は、ぜんまいの巻き戻し量、すなわちパワーリザーブ量の減少に対応して時計回り方向に回転する。また、巻印車９１と噛合するカム４１は、巻印車９１の回転に対して反時計回り方向に回転する。
【００５０】
レバー４６の従節部４７は、カム凸部４３の移動にともなって、ピエゾクロミズムフィルム３２の復元力により、内周面４７ａがカム４１の外周面に接近するように移動する。このとき、レバー４６は、軸芯Ｏ周りに時計回り方向に回動する。また、外力付与部４９は、ピエゾクロミズムフィルム３２に接近する方向に移動し、ピエゾクロミズムフィルム３２の本体部３３に作用する引っ張り応力を解除する。これにより、ピエゾクロミズムフィルム３２の本体部３３は、減少する引っ張り応力に対応して、赤色から黄色に漸次変色する。
【００５１】
そして、図２（ａ）に示すように、ぜんまいが巻き戻されて再びパワーリザーブ量が最小の状態となったときに、カム４１のカム凸部４３が直線Ｌに対して反時計回り方向に角度αの位置に配置される。このとき、ピエゾクロミズムフィルム３２の本体部３３が無負荷状態となる。したがって、ピエゾクロミズムフィルム３２の本体部３３は、黄色に戻るとともに、パワーリザーブ量が最小の状態であることを表示することができる。
【００５２】
（効果）
本実施形態によれば、表示部３０と、表示体３１と、変色機構４０とにより簡単な構成で表示機構５を形成できるので、レイアウト性に優れるとともに低コストな表示機構５とすることができる。また、表示体３１を変色させることによりパワーリザーブ量に関する情報を表示することができるので、表示機構５の優れた意匠性および視認性を確保できる。
【００５３】
また、ぜんまいのパワーリザーブ量に対応して回動するカム４１と、カム４１の回動に対応して軸芯Ｏ周りに回動するレバー４６と、を備え、レバー４６には、レバー４６の回動に対応して表示体３１に対して外力を付与する外力付与部４９が設けられているので、ぜんまいのパワーリザーブ量に対応して表示体３１に外力を付与できる。これにより、ピエゾクロミズム材料を主成分とする材料により形成されたピエゾクロミズムフィルム３２からなる表示体３１は、外力付与部４９により付与される引っ張り応力によって、ぜんまいのパワーリザーブ量に対応して変色することができるので、使用者は、一目でぜんまいのパワーリザーブ量を把握できる。したがって、表示機構５の優れた意匠性および視認性を確保できる。
【００５４】
また、簡単な構成により優れた意匠性および視認性を確保できる上述の表示機構５を備えているので、小型かつ低コストで意匠性および視認性に優れたムーブメント１０および時計１を提供できる。
【００５５】
（第一実施形態の各変形例）
続いて、第一実施形態の各変形例について説明する。
図３は、第一実施形態の第一変形例に係る表示機構５を模式的に表した説明図であって、図３（ａ）は、パワーリザーブ量が最小の状態を示す図であり、図３（ｂ）は、パワーリザーブ量が最大の状態を示す図である。
図４は、第一実施形態の第二変形例に係る表示機構５を模式的に表した説明図であって、図４（ａ）は、パワーリザーブ量が最小の状態を示す図であり、図４（ｂ）は、パワーリザーブ量が最大の状態を示す図である。なお、図３および図４においては、文字板２の開口部１５を二点鎖線で図示している。
第一実施形態では、パワーリザーブ量に関する情報を表示する表示体３１として、ピエゾクロミズムフィルム３２を採用していたが、表示体３１の態様はピエゾクロミズムフィルム３２に限定されない。なお、第一実施形態と同様の構成については、詳細な説明を省略する。
【００５６】
図３に示す第一実施形態の第一変形例のように、表示体３１は、シリンダ５１に収容されたピエゾクロミズム溶液３４であってもよい。
レバー４６は、例えば鉄やステンレス等の金属材料により形成されており、可撓性を有する板バネとなっている。レバー４６は、弾性変形することにより従節部４７をカム４１のカム凸部４３に向かって付勢している。
【００５７】
外力付与部４９は、ピストン５３を備えている。ピストン５３は、シリンダ５１内において、レバー４６の回動に連動してシリンダ５１の軸方向に移動可能に設けられている。
図３（ａ）に示すように、カム４１のカム凸部４３が直線Ｌに対して反時計回り方向に角度αの位置に配置されているとき、レバー４６は弾性変形していない。このとき、ピエゾクロミズム溶液３４は、無負荷状態となっている。
【００５８】
また、図３（ａ）に示す状態からカム４１が時計回り方向に回転すると、レバー４６が弾性変形しつつ、従節部４７がカム４１の外周面から漸次離反する。このとき、レバー４６は、弾性変形することにより従節部４７をカム凸部４３に向かって付勢するとともに、軸芯Ｏを挟んで従節部４７とは反対側に設けられた外力付与部４９のピストン５３をシリンダ５１に収容されたピエゾクロミズム溶液３４に向かって付勢する。これにより、ピエゾクロミズム溶液３４は、増大する圧縮応力に対応して、黄色から赤色に漸次変色する。
【００５９】
また、図３（ｂ）に示すように、カム４１のカム凸部４３が直線Ｌに対して時計回り方向に角度βの位置に配置されているとき、レバー４６の弾性変形量が最大となるとともに、外力付与部４９のピストン５３からピエゾクロミズム溶液３４に対して最大の圧縮応力が付与される。これにより、ピエゾクロミズム溶液３４は、最も濃い赤色に変色するとともに、パワーリザーブ量が最大の状態であることを表示することができる。
【００６０】
第一実施形態の第一変形例によれば、レバー４６が弾性変形することにより従節部４７をカム４１に向かって付勢するので、別部品としてバネ等の弾性体を設けることなく、ピエゾクロミズム溶液３４からなる表示体３１に対して圧縮応力を確実に付与するとともに、表示体３１を変色させることができる。したがって、さらに簡単な構造で低コストな表示機構５とすることができる。
【００６１】
また、図４に示す第一実施形態の第二変形例のように、レバー４６を剛体により形成するとともに、外力付与部４９がコイルバネ４８（請求項の「弾性部」に相当。）を備えていてもよい。
図４（ａ）に示すように、外力付与部４９は、シリンダ５１内においてピエゾクロミズム溶液３４を押圧するピストン５３と、ピストン５３を押圧するピストン押圧部５５と、ピストン５３とピストン押圧部５５との間に設けられたコイルバネ４８と、を備えている。
図４（ａ）に示すように、カム４１のカム凸部４３が直線Ｌに対して反時計回り方向に角度αの位置に配置されているとき、コイルバネ４８は弾性変形していない。このとき、このとき、ピエゾクロミズム溶液３４は、無負荷状態となっている。
【００６２】
また、図４（ａ）に示す状態からカム４１が時計回り方向に回転すると、従節部４７がカム４１の外周面から漸次離反するとともに、外力付与部４９のピストン押圧部５５がピエゾクロミズム溶液３４に向かって移動する。このとき、ピストン５３とピストン押圧部５５との間に設けられたコイルバネ４８が圧縮されて弾性変形するとともに、ピストン５３をピエゾクロミズム溶液３４に向かって付勢する。これにより、ピエゾクロミズム溶液３４は、増大する圧縮応力に対応して、黄色から赤色に漸次変色する。
【００６３】
また、図４（ｂ）に示すように、カム４１のカム凸部４３が直線Ｌに対して時計回り方向に角度βの位置に配置されているとき、外力付与部４９のピストン押圧部５５がピエゾクロミズム溶液３４にもっとも接近するとともに、コイルバネ４８が最も圧縮される。これにより、外力付与部４９のピストン５３からピエゾクロミズム溶液３４に対して最大の圧縮応力が付与されるので、ピエゾクロミズム溶液３４は、最も濃い赤色に変色するとともに、パワーリザーブ量が最大の状態であることを表示することができる。
【００６４】
第一実施形態の第二変形例によれば、外力付与部４９は、レバー４６の従節部４７をカム４１に向かって付勢するコイルバネ４８を備えているので、レバー４６の従節部４７がカム４１に対して常に接することができる。これにより、レバー４６は、カム４１の回転に対応して確実に回動できるので、ピエゾクロミズム溶液３４からなる表示体３１に対して外力を確実に付与するとともに、表示体３１を変色させることができる。
【００６５】
（第二実施形態）
図５は、第二実施形態に係る表示機構５を模式的に表した説明図である。
第一実施形態に係る表示機構５は、表示体３１がムーブメント１０に設けられたぜんまいのパワーリザーブ量の情報を色により表示していた（図２参照）。
これに対して、図５に示すように、第二実施形態に係る表示機構５は、時に関する情報を色により表示している点で、第一実施形態および第一実施形態の各変形例とは異なっている。なお、第一実施形態および第一実施形態の各変形例のいずれかと同様の構成については、詳細な説明を省略する。
【００６６】
第二実施形態に係る表示機構５の変色機構４０は、カム４１を備えている。カム４１は、例えば時計回り方向に２４時間で一回転する２４時間車９３と同軸に設けられており、２４時間車９３とともに中心軸Ｐ周りに２４時間で一回転する。カム４１は、カム４１の径方向に突出するカム凸部４３が設けられている。カム凸部４３の周面は、所定の曲率で湾曲形成されており、周方向における中間部が中心軸Ｐから最も離間した頂部となっている。
【００６７】
レバー４６は、カム４１の外周面に接する従節部４７と、時計１の１２時−６時方向（図５における上下方向）に沿うように延びるレバー本体４６ａと、レバー本体４６ａの従節部４７とは反対側の端部に設けられた外力付与部４９と、を備えている。
レバー４６は、従節部４７とレバー本体４６ａとの境界部分が地板１２と不図示の輪列受とによって軸支されており、軸芯Ｏ周りに回動可能となっている。
外力付与部４９は、シリンダ５１内においてピエゾクロミズム溶液３４を押圧するピストン５３と、ピストン５３を押圧するピストン押圧部５５と、ピストン５３とピストン押圧部５５との間に設けられたコイルバネ４８と、を備えている。
【００６８】
カム４１の外周面は、時間の経過にともなってカム４１が回転することにより従節部４７に摺接する。また、カム４１は、カム凸部４３の外周面が従節部４７に摺接することにより、レバー４６を回動させる。本実施形態の変色機構４０は、時刻０時になるとともに、カム凸部４３の従節部４７に対する摺接が終了し（すなわち図５に示す状態）、時刻１２時となるとともに、カム凸部４３の従節部４７に対する摺接が開始するように設定されている。
【００６９】
続いて、上述のように構成された第二実施形態に係る表示機構５を備えた時計１の作用について説明する。
時刻０時においては、図５に示すように、カム凸部４３の従節部４７に対する摺接が終了した状態となっている。このとき、レバー４６は、レバー本体４６ａが１２時−６時方向に対して平行に配置された初期位置に位置するとともに、ピエゾクロミズム溶液３４は、無負荷状態の黄色となっている。
【００７０】
図６は、第二実施形態に係る表示機構５を模式的に表した説明図であり、図６（ａ）は、１２時の状態を示しており、図６（ｂ）は、２２時２８分の状態を示している。
続いて、時間の経過にともなって、カム４１は、時計回り方向に回転する。そして、図６（ａ）に示すように、時刻１２時となったときに、カム凸部４３の従節部４７に対する摺接が開始する。さらに時間が経過すると、カム凸部４３が従節部４７に摺接することにより、従節部４７がカム４１の中心軸Ｐから離反する方向に移動するとともに、レバー４６が軸芯Ｏ周りに時計回り方向に回動する。また、外力付与部４９のピストン押圧部５５は、ピエゾクロミズム溶液３４に向かって移動する。このとき、ピストン５３とピストン押圧部５５との間に設けられたコイルバネ４８が圧縮されて弾性変形するとともに、ピストン５３をピエゾクロミズム溶液３４に向かって付勢する。これにより、ピエゾクロミズム溶液３４は、増大する圧縮応力に対応して、黄色から赤色に漸次変色する。
【００７１】
続いて、時間の経過にともなって、カム４１は、時計回り方向にさらに回転する。そして、図６（ｂ）に示すように、例えば時刻２２時２８分となったときに、従節部４７がカム４１の中心軸Ｐから最も離間し、レバー４６の回動角度が最大となる。このとき、外力付与部４９のピストン押圧部５５がピエゾクロミズム溶液３４にもっとも接近するとともに、コイルバネ４８が最も圧縮される。これにより、外力付与部４９のピストン５３からピエゾクロミズム溶液３４に対して最大の圧縮応力が付与されるので、ピエゾクロミズム溶液３４は、最も濃い赤色に変色する。
【００７２】
続いて、時間の経過にともなって、カム４１が時計回り方向にさらに回転すると、従節部４７がカム４１の中心軸Ｐに対して接近する方向に移動するとともに、レバー４６が軸芯Ｏ周りに反時計回り方向に回動する。また、外力付与部４９のピストン押圧部５５は、ピエゾクロミズム溶液３４から離反する方向に移動する。これにより、ピエゾクロミズム溶液３４は、減少する圧縮応力に対応して、赤色から黄色に漸次変色する。
【００７３】
続いて、時間の経過にともなって、カム４１は、時計回り方向にさらに回転する。また、レバー４６は、軸芯Ｏ周りに反時計回り方向にさらに回動する。そして、時刻２４時となった時に、レバー４６は、初期位置に戻るとともに、ピエゾクロミズム溶液３４は、無負荷状態の黄色となる（図５参照）。以降、上記動作を繰り返すことにより、ピエゾクロミズム溶液３４は、変色して時に関する情報を表示することができる。
【００７４】
第二実施形態によれば、２４時間で一回転する回動するカム４１と、カム４１の回動に対応して軸芯Ｏ周りに回動するレバー４６と、を備え、レバー４６には、レバー４６の回動に対応して表示体３１に対して外力を付与する外力付与部４９が設けられているので、時の経過に対応して表示体３１に外力を付与できる。これにより、ピエゾクロミズム材料を主成分とする材料により形成されたピエゾクロミズム溶液３４からなる表示体３１は、外力付与部４９により付与される圧縮応力によって、時の経過に対応して変色することができるので、使用者は、一目で時に関する情報を把握できる。したがって、表示機構５の優れた意匠性および視認性を確保できる。
【００７５】
（第三実施形態）
図７は、第三実施形態に係る時計１の説明図である。
第一実施形態では、文字板２に開口部１５を一箇所設け、開口部１５から表示体３１を露出することにより情報を表示していた（図１参照）。
これに対して、第三実施形態では、図７に示すように、文字板２に二箇所の開口部１５，１６（第一の開口部１５および第二の開口部１６）を設けるとともに、それぞれの開口部１５，１６から、第一表示体３１Ａおよび第二表示体３１Ｂを露出している点で、第一実施形態とは異なっている。なお、第一実施形態と同様の構成については、説明を省略する。
【００７６】
第一表示部３０Ａは、文字板２に形成された第一の開口部１５から、ムーブメント１０に設けられた第一表示体３１Ａが露出されることにより形成される。
第二表示部３０Ｂは、文字板２に形成された第二の開口部１６から、ムーブメント１０に設けられた第二表示体３１Ｂが露出されることにより形成される。
【００７７】
図８は、第三実施形態に係る表示機構５を模式的に表した説明図である。
図８に示すように、第三実施形態に係る表示機構５は、２４時間で一回転するカム４１を備えている。カム４１は、例えば時計回り方向に２４時間で一回転する２４時間車９３に対して偏心した状態で設けられたピン状の部材である。
【００７８】
レバー４６は、時計１の１２時−６時方向（図８における上下方向）に沿うように延びるレバー本体４６ａと、レバー本体４６ａの一端部に設けられてカム４１に接する従節部４７と、レバー本体４６ａの他端部に設けられた外力付与部４９と、により構成されている。
従節部４７は、平面視でＵ字状に形成されている。従節部４７の内側には、カム４１が遊挿される。
レバー４６は、従節部４７とレバー本体４６ａとの境界部分が地板１２と不図示の輪列受とによって軸支されており、軸芯Ｏ周りに回動可能となっている。
外力付与部４９は、レバー本体４６ａの他端部に設けられており、カム４１の回動に対応して揺動する。
【００７９】
一対の表示体３１（第一表示体３１Ａおよび第二表示体３１Ｂ）は、外力付与部４９を挟んで時計１の３−９時方向（図８における左右方向）の両側に設けられている。ピエゾクロミズム溶液３４からなる第一表示体３１Ａは、レバー４６よりも時計１の３時側（図８における右側）に設けられている。また、ピエゾクロミズム溶液３４からなる第二表示体３１Ｂは、レバー４６よりも時計１の９時側（図８における左側）に設けられている。第一表示体３１Ａおよび第二表示体３１Ｂは、それぞれ第一シリンダ５１Ａおよび第二シリンダ５１Ｂ内に収容されている。
【００８０】
外力付与部４９は、第一シリンダ５１Ａ内および第二シリンダ５１Ｂ内において、それぞれ第一表示体３１Ａおよび第二表示体３１Ｂのピエゾクロミズム溶液３４を押圧するピストン５３と、ピストン５３を押圧するピストン押圧部５５と、ピストン５３とピストン押圧部５５との間に設けられたコイルバネ４８と、を一対備えている。ピストン５３、ピストン押圧部５５、コイルバネ４８は、第二実施形態と同様の構成のため、説明を省略する。
【００８１】
本実施形態の変色機構４０は、時刻０時になるとともに、カム４１が軸芯Ｏに対して最も近接した位置に配置される。このとき、レバー４６は、レバー本体４６ａが１２時−６時方向に対して平行に配置された初期位置に位置するとともに、第一表示体３１Ａおよび第二表示体３１Ｂのピエゾクロミズム溶液３４は、無負荷状態の黄色となっている。
また、カム４１の回転に対応して従節部４７が揺動すると、レバー４６が軸芯Ｏ周りに回動する。また、レバー４６の回動に対応して、レバー４６の他端部の外力付与部４９が揺動する。これにより、外力付与部４９は、第一表示体３１Ａおよび第二表示体３１Ｂのピエゾクロミズム溶液３４に対して、所定周期で交互に圧縮応力を付与している。
【００８２】
続いて、上述のように構成された第三実施形態に係る表示機構５を備えた時計１の作用について説明する。
時刻０時においては、図８に示すように、カム４１は、軸芯Ｏに対して最も近接した位置に配置される。このとき、レバー４６は、１２時−６時方向に対して平行に配置された初期位置に位置するとともに、第一表示体３１Ａおよび第二表示体３１Ｂのピエゾクロミズム溶液３４は、それぞれ無負荷状態の黄色となっている。
【００８３】
図９は、第三実施形態に係る表示機構５を模式的に表した説明図であり、図９（ａ）は、６時の状態を示しており、図９（ｂ）は、１２時の状態を示しており、図９（ｃ）は、１８時の状態を示している。
続いて、時間の経過にともなって、カム４１は、時計回り方向に回転する。このとき、カム４１および従節部４７が時計１の９時側に移動するとともに、レバー４６が軸芯Ｏ周りに反時計回り方向に回動する。また、第一表示部３０Ａ側のピストン押圧部５５は、第一表示体３１Ａのピエゾクロミズム溶液３４に向かって移動する。このとき、ピストン５３とピストン押圧部５５との間に設けられたコイルバネ４８は、圧縮されて弾性変形するとともに、ピストン５３をピエゾクロミズム溶液３４に向かって付勢する。これにより、第一表示体３１Ａのピエゾクロミズム溶液３４は、増大する圧縮応力に対応して、黄色から赤色に漸次変色する。なお、第二表示体３１Ｂのピエゾクロミズム溶液３４は、無負荷状態の黄色となっている。
【００８４】
続いて、時間の経過にともなって、カム４１は、中心軸Ｐに対して偏心した状態で時計回り方向にさらに回転する。そして、図９（ａ）に示すように、時刻６時となったとき、従節部４７が時計１の９時側に配置されるとともに、レバー４６の回動角度が最大となる。このとき、第一表示部３０Ａ側のピストン押圧部５５は、ピエゾクロミズム溶液３４にもっとも接近する。また、このとき、コイルバネ４８は、最も圧縮される。これにより、第一表示部３０Ａ側のピストン５３から第一表示体３１Ａのピエゾクロミズム溶液３４に対して最大の圧縮応力が付与されるので、第一表示体３１Ａのピエゾクロミズム溶液３４は、最も濃い赤色に変色するとともに、時刻６時であることを表示することができる。
【００８５】
続いて、時間の経過にともなって、カム４１は、中心軸Ｐに対して偏心した状態で時計回り方向にさらに回転する。このとき、カム４１および従節部４７が時計１の３時側に向かって移動するとともに、レバー４６が軸芯Ｏ周りに時計回り方向に回動する。また、第一表示部３０Ａ側のピストン押圧部５５は、第一表示体３１Ａのピエゾクロミズム溶液３４から離反する方向に移動する。これにより、第一表示体３１Ａのピエゾクロミズム溶液３４は、減少する圧縮応力に対応して、赤色から黄色に漸次変色する。なお、第二表示体３１Ｂのピエゾクロミズム溶液３４は、無負荷状態の黄色となっている。
【００８６】
そして、図９（ｂ）に示すように、時刻１２時となったときに、カム４１は、軸芯Ｏから最も離間した位置に配置される。このとき、レバー４６は、１２時−６時方向に対して平行に配置された初期位置に位置するとともに、第一表示体３１Ａおよび第二表示体３１Ｂのピエゾクロミズム溶液３４は、それぞれ無負荷状態の黄色となる。
【００８７】
続いて、時間の経過にともなって、カム４１は、中心軸Ｐに対して偏心した状態で時計回り方向にさらに回転する。このとき、カム４１および従節部４７が時計１の３時側に移動するとともに、レバー４６が軸芯Ｏ周りに時計回り方向に回動する。また、第二表示部３０Ｂ側のピストン押圧部５５は、第二表示体３１Ｂのピエゾクロミズム溶液３４に向かって移動する。これにより、第二表示体３１Ｂのピエゾクロミズム溶液３４は、増大する圧縮応力に対応して、黄色から赤色に漸次変色する。なお、第一表示体３１Ａのピエゾクロミズム溶液３４は、無負荷状態の黄色となっている。
【００８８】
そして、図９（ｃ）に示すように、時刻１８時となったとき、従節部４７が時計１の３時側に配置されるとともに、レバー４６の回動角度が最大となる。このとき、第二表示部３０Ｂ側のピストン押圧部５５がピエゾクロミズム溶液３４にもっとも接近するとともに、コイルバネ４８が最も圧縮される。これにより、第二表示部３０Ｂ側のピストン５３から第二表示体３１Ｂのピエゾクロミズム溶液３４に対して最大の圧縮応力が付与されるので、第二表示体３１Ｂのピエゾクロミズム溶液３４は、最も濃い赤色に変色するとともに、時刻１８時であることを表示することができる。
【００８９】
続いて、時間の経過にともなって、カム４１は、中心軸Ｐに対して偏心した状態で時計回り方向にさらに回転する。また、レバー４６は、軸芯Ｏ周りに反時計回り方向に回動する。そして、時刻２４時となった時に、レバー４６は、初期位置に戻るとともに、第一表示体３１Ａおよび第二表示体３１Ｂのピエゾクロミズム溶液３４は、無負荷状態の黄色となる（図８参照）。以降、上記動作を繰り返すことにより、第一表示体３１Ａおよび第二表示体３１Ｂのピエゾクロミズム溶液３４は、所定周期で交互に変色して時に関する情報を表示することができる。
【００９０】
第三実施形態によれば、レバー４６の回動に対応して、第一表示体３１Ａおよび第二表示体３１Ｂに対して所定周期で交互に外力を付与する外力付与部４９が設けられているので、所定周期で第一表示体３１Ａおよび第二表示体３１Ｂを交互に変色させることができる。したがって、使用者は、一目で時に関する情報を把握できるとともに、表示機構５の意匠性および視認性をさらに向上させることができる。
【００９１】
（第四実施形態）
図１０は、第四実施形態に係る表示機構５を模式的に表した説明図である。なお、図１０では、文字板２を透過して図示するとともに、第一の開口部１５ａ〜第四の開口部１５ｄを二点鎖線で図示している。
第二実施形態では、表示体３１は、外力付与部４９により付与される圧縮応力によって、時の経過に対応して所定周期で変色するように構成されていた（図５参照）。
これに対して、第四実施形態では、図１０に示すように、複数の表示体３１を変色させることで、時の情報として現在何時であるかを示すように構成されている点で、第二実施形態とは異なっている。なお、第二実施形態と同様の構成については、説明を省略する。
【００９２】
第四実施形態に係る表示機構５において、変色機構４０は、カム４１と、複数の表示部３０（第一表示部３０Ａ〜第四表示部３０Ｄ）と、を備えている。
カム４１は、例えば中間車を介して筒車（いずれも不図示）と噛合しており、中心軸Ｐ周りに、１２時間で時計回り方向に一回転するように構成されている。カム４１には、カム４１の径方向に突出するカム凸部４３が設けられている。
カム４１の径方向の外側には、時計１の０時（図１０中では「１２」の数字で表記）、３時、６時および９時に対応する位置に、それぞれ第一表示部３０Ａ〜第四表示部３０Ｄが配置されている。
第一表示部３０Ａ〜第四表示部３０Ｄは、それぞれ文字板２に形成された第一の開口部１５ａ〜第四の開口部１５ｄから、第一表示体３１Ａ〜第四表示体３１Ｄが露出されることにより形成される。
【００９３】
第一表示体３１Ａ〜第四表示体３１Ｄは、それぞれ第一シリンダ５１Ａ〜第四シリンダ５１Ｄに収容されたピエゾクロミズム溶液３４である。
外力付与部４９は、第一シリンダ５１Ａ〜第四シリンダ５１Ｄ内において、それぞれ第一表示体３１Ａ〜第四表示体３１Ｄのピエゾクロミズム溶液３４を押圧するピストン５３と、ピストン５３を押圧するピストン押圧部５５と、ピストン押圧部５５を押圧する押圧体５７と、ピストン５３とピストン押圧部５５との間に設けられたコイルバネ４８と、を備えている。ピストン５３、ピストン押圧部５５、コイルバネ４８は、第二実施形態および第三実施形態と同様の構成のため、説明を省略する。
押圧体５７は、例えば球状に形成された部材であり、第一シリンダ５１Ａ〜第四シリンダ５１Ｄにおけるカム４１側の端部に対して、出没自在に設けられている。各押圧体５７は、カム４１のカム凸部４３と接することにより、第一シリンダ５１Ａ〜第四シリンダ５１Ｄ内に入り込むとともに、ピストン押圧部５５を押圧する。これにより、第一表示体３１Ａ〜第四表示体３１Ｄは、それぞれ増大する圧縮応力に対応して、黄色から赤色に漸次変色する。
【００９４】
時刻０時においては、カム４１のカム凸部４３が時計１の０時に対応する位置に配置されるとともに、第一シリンダ５１Ａ内の押圧体５７と接する。これにより、第一表示体３１Ａは、赤色に変色している。
次いで、時間の経過にともなって、カム４１は、時計回り方向に回転する。これにより、第一表示体３１Ａは、減少する圧縮応力に対応して、赤色から黄色に漸次変色する。
次いで、カム４１の回転より、カム凸部４３は、第一シリンダ５１Ａ内の押圧体５７から離反する。
次いで、カム４１の回転より、カム凸部４３は、第二シリンダ５１Ｂ内の押圧体５７と接する。これにより、第二表示体３１Ｂは、増大する圧縮応力に対応して、黄色から赤色に漸次変色する。
次いで、カム４１の回転より、カム凸部４３は、第二シリンダ５１Ｂ内の押圧体５７から離反する。
以降、カム４１の回転より、カム凸部４３は、上記同様に、第三シリンダ５１Ｃ内の押圧体５７、第四シリンダ５１Ｄ内の押圧体５７の順に接触して押圧する。これにより、第一表示体３１Ａ〜第四表示体３１Ｄは、それぞれ時刻に対応して順番に黄色から赤色に漸次変色することができる。
【００９５】
第四実施形態によれば、外力付与部４９は、１２時間で一回転するカム４１の径方向の外側において周方向に沿うように複数配置されているので、カム４１の位置に対応して、時刻に関する情報を表示することができる。したがって、使用者は、一目で時に関する情報を把握できるとともに、表示機構５の意匠性および視認性をさらに向上させることができる。
【００９６】
（第四実施形態の第一変形例）
図１１は、第四実施形態の第一変形例に係る表示機構５を模式的に表した説明図である。第一表示体３１Ａ〜第四表示体３１Ｄは、ピエゾクロミズム溶液３４に限定されない。
例えば、図１１に示すように、第四実施形態の第一変形例に係る表示機構５は、表示体３１（図１１においては、第一表示体３１Ａのみを図示）がピエゾクロミズムフィルム３２であってもよい。
第四実施形態の第一変形例に係る表示機構５は、カム４１と、軸芯Ｏ周りに回転可能に設けられたレバー４６と、表示体３１（第一表示体３１Ａ）とを備えている。
レバー４６は、一端がピエゾクロミズムフィルム３２に接続された外力付与部４９となっており、他端がカム４１のカム凸部４３と摺接可能となっている。
時計回り方向に回転するカム４１のカム凸部４３がレバー４６の他端と摺接すると、カム４１の回転にともなって、レバー４６が軸芯Ｏ周りに反時計回り方向に回転する。これにより、外力付与部４９は、ピエゾクロミズムフィルム３２の本体部３３から漸次離反する。このとき、外力付与部４９からピエゾクロミズムフィルム３２に付与される引っ張り応力は、漸次大きくなる。これにより、ピエゾクロミズムフィルム３２の本体部３３は、増加する引っ張り応力に対応して、黄色から赤色に変色することができる。
【００９７】
（第四実施形態の第二変形例）
図１２は、第四実施形態の第二変形例に係る表示機構５を模式的に表した説明図である。図１２に示すように、レバー４６の他端とピエゾクロミズムフィルム３２の支持部４４との間に、付勢部材４５を介在させてもよい。付勢部材４５は、カム凸部４３がレバー４６の他端と摺接すると圧縮される。したがって、第四実施形態の第二変形例によれば、付勢部材４５を備えることにより、カム凸部４３がレバー４６の他端から離反したときに、付勢部材４５の復元力によって、レバー４６を初期位置に素早く戻すことができる。
【００９８】
（第五実施形態）
図１３は、第五実施形態に係る表示機構５を模式的に表した説明図であり、図１４は、図１３におけるＡ−Ａ線に沿った断面図である。なお、図１３では、文字板２を透過して図示する。また、なお、図１４では、文字板２を二点鎖線で図示する。
第四実施形態では、カム４１により複数の表示体３１を変色させ、時の情報として現在何時であるかを示すように構成されていた（図１０参照）。
これに対して、第五実施形態では、図１３に示すように、規制部材６０の孔部６１に対して出没自在な突起部６３により複数の表示体３１を変色させ、時の情報として現在何時であるかを示すように構成されていてもよい。なお、第四実施形態と同様の構成については、説明を省略する。
【００９９】
第五実施形態に係る表示機構５において、変色機構４０は、回転体６６と、規制部材６０と、突起部６３と、を備えている。
回転体６６は、例えば中間車を介して筒車（いずれも不図示）と噛合しており、中心軸Ｐ周りに、１２時間で時計回り方向に一回転するように構成されている。
図１４に示すように、規制部材６０は、回転体６６よりも軸方向における文字板２側に配置されている。
図１３に示すように、規制部材６０は、中心軸Ｐ周りに設けられた４個の孔部６１を有する。孔部６１は、それぞれ時計１の０時（図１３中では「１２」の数字で表記）、３時、６時および９時に対応する位置に形成されている。規制部材６０の各孔部６１に対応する位置には、時刻を表す数字（本実施形態では、３、６、９、１２の各数字）が印字されている。
【０１００】
回転体６６の主面には、規制部材６０に向かって突出する１個の突起部６３が設けられている。突起部６３は、先端が凸曲面状に形成されている。軸方向から見たとき、中心軸Ｐから突起部６３の中心までの距離は、中心軸Ｐから孔部６１の中心までの距離と一致している。また、突起部６３と回転体６６との間には、バネ部材６４が介在している。突起部６３は、回転体６６側から規制部材６０側に向かって付勢されている。突起部６３は、回転体６６の回転に対応して、時計回り方向の順に各孔部６１を通じて出没自在となっている。
【０１０１】
第一表示部３０Ａ〜第四表示部３０Ｄは、規制部材６０を挟んで回転体６６とは軸方向における反対側において、回転体６６の周方向に沿うように複数配置されている。第一表示部３０Ａ〜第四表示部３０Ｄは、時計１の０時、３時、６時および９時に対応する位置（すなわち、各孔部６１に対応する位置）にそれぞれ配置されている。
第一表示体３１Ａ〜第四表示体３１Ｄは、それぞれ第一シリンダ５１Ａ〜第四シリンダ５１Ｄに収容されたピエゾクロミズム溶液３４（図１４参照）である。第一表示部３０Ａ〜第四表示部３０Ｄの第一シリンダ５１Ａ〜第四シリンダ５１Ｄは、それぞれ透明な材料により形成される。第一表示体３１Ａ〜第四表示体３１Ｄは、第一シリンダ５１Ａ〜第四シリンダ５１Ｄを透して視認可能となっている。外力付与部４９は、第一シリンダ５１Ａ〜第四シリンダ５１Ｄ内において、それぞれ第一表示体３１Ａ〜第四表示体３１Ｄのピエゾクロミズム溶液３４を押圧するピストン５３と、ピストン５３を押圧するピストン押圧部５５と、ピストン押圧部５５を押圧する押圧体５７と、ピストン５３とピストン押圧部５５との間に設けられたコイルバネ４８と、を備えている。ピストン５３、ピストン押圧部５５、押圧体５７およびコイルバネ４８の構成については、第四実施形態と同様であるため詳細な説明を省略する。
外力付与部４９は、押圧体５７が孔部６１を通じて出現した突起部６３と接することにより、第一表示体３１Ａ〜第四表示体３１Ｄに対して外力を付与する。これにより、第一表示体３１Ａ〜第四表示体３１Ｄは、それぞれ増大する圧縮応力に対応して、黄色から赤色に漸次変色する。
【０１０２】
時刻０時においては、突起部６３は、時計１の０時に対応する位置に配置されるとともに孔部６１を通じて規制部材６０から突出し、第一シリンダ５１Ａ内の押圧体５７と接する。これにより、第一表示体３１Ａは、赤色に変色する。
次いで、時間の経過にともなって、回転体６６は、時計回り方向に回転する。これにより、突起部６３は、中心軸Ｐ周りに時計回り方向に回転し、第一シリンダ５１Ａ内の押圧体５７から離反する。第一表示体３１Ａは、減少する圧縮応力に対応して、赤色から黄色に漸次変色する。
次いで、突起部６３は、時計１の３時に対応する位置に配置されるとともに孔部６１を通じて規制部材６０から突出し、第二シリンダ５１Ｂ内の押圧体５７と接する。これにより、第二表示体３１Ｂは、増大する圧縮応力に対応して、黄色から赤色に漸次変色する。
次いで、時間の経過にともなって、回転体６６は、時計回り方向に回転する。これにより、突起部６３は、中心軸Ｐ周りに時計回り方向に回転し、第二シリンダ５１Ｂ内の押圧体５７から離反する。第二表示体３１Ｂは、減少する圧縮応力に対応して、赤色から黄色に漸次変色する。
以降、回転体６６の回転より、突起部６３は、上記同様に、第三シリンダ５１Ｃ内の押圧体５７、第四シリンダ５１Ｄ内の押圧体５７の順に押圧する。これにより、第一表示体３１Ａ〜第四表示体３１Ｄは、それぞれ時刻に対応して順番に黄色から赤色に漸次変色することができる。
【０１０３】
第五実施形態によれば、回転体６６の回転に対応して孔部６１を通じて出没自在な突起部６３と、突起部６３と接することにより第一表示体３１Ａ〜第四表示体３１Ｄに対して外力を付与する外力付与部４９と、を備え、外力付与部４９は、回転体６６の周方向に沿うように複数配置されているので、回転体６６の位置に対応して、時刻を表示することができる。したがって、使用者は、一目で時に関する情報を把握できるとともに、表示機構５の意匠性および視認性をさらに向上させることができる。
【０１０４】
図１５は、第五実施形態の変形例に係る表示機構５を模式的に表した説明図であって、図１３のＡ−Ａ断面に相当する断面図である。
例えば、図１５に示すように、第五実施形態の変形例に係る表示機構５は、表示体３１（図１５においては、第一表示体３１Ａのみを図示）がピエゾクロミズムフィルム３２であってもよい。
第五実施形態の変形例に係る表示機構５は、外力付与部４９として押圧プレート７１を備えている。押圧プレート７１は、規制部材６０を挟んで回転体６６とは軸方向における反対側において、各孔部６１を覆うように配置されている。押圧プレート７１は、ピエゾクロミズムフィルム３２と接する凸部７３を有している。凸部７３は、正面視で時刻を表す数字に対応した形状となるように突出している。
押圧プレート７１の凸部７３は、時計１の孔部６１を通じて規制部材６０から突出する突起部６３により、ピエゾクロミズムフィルム３２に向かって押圧される。これによりピエゾクロミズムフィルム３２の表示体３１は、凸部７３に対応する領域（すなわち数字に対応した領域）が黄色から赤色に変色することができる。したがって、ピエゾクロミズムフィルム３２の表示体３１は、時刻に対応した数字を表示することができる。
【０１０５】
（第六実施形態）
図１６は、第六実施形態に係る表示機構５を模式的に表した説明図である。
第五実施形態では、表示機構５は、表示体３１により時刻の情報を表示していた（図１３参照）。
これに対して、図１６に示すように、第六実施形態では、表示機構５は、表示体３１により、時刻の情報に加えて、午前であるか午後であるかの情報を表示している点で第五実施形態とは異なっている。
【０１０６】
第六実施形態に係る表示機構５は、午前であるとの情報を示す第一表示部３０Ａと、午後であるとの情報を示す第二表示部３０Ｂと、時刻の情報を示す第三表示部３０Ｃと、を有している。
第一表示部３０Ａおよび第二表示部３０Ｂは、それぞれ第一表示体３１Ａおよび第二表示体３１Ｂとしてピエゾクロミズムフィルム３２を採用している。第一表示部３０Ａおよび第二表示部３０Ｂは、それぞれ文字板２に形成された開口部１５ａ，１５ｂから、第一表示体３１Ａおよび第二表示体３１Ｂが露出されることにより形成される。
【０１０７】
第三表示部３０Ｃは、第三表示体３１Ｃとして、シリンダ５１に収容されたピエゾクロミズム溶液３４を採用している。シリンダ５１に収容された第三表示体３１Ｃは、表示される時刻に対応した個数（本実施形態では午前０時または午後０時から午前１２時または午後１２時に対応して１３個）だけ並んで設けられている。各第三表示体３１Ｃは、例えばベース部材７６に対してシリンダ５１に収容された状態で埋設される。ベース部材７６の表面からは、押圧体５７が突出している。各押圧体５７は、ベース部材７６の表面を往復移動する後述の第三外力付与部４９Ｃと接することにより、シリンダ５１内に入り込むとともに、ピストン押圧部５５を押圧する。これにより、各第三表示体３１Ｃは、それぞれ増大する圧縮応力に対応して、黄色から赤色に漸次変色する。第三表示部３０Ｃは、それぞれ文字板２に形成された開口部１５ｃから、第三表示体３１Ｃが露出されることにより形成される。
【０１０８】
変色機構４０は、カム４１と、カム４１に接する第一従節部４７Ａを有し、カム４１の回転に対応して第一軸Ｏ１周りに回動する第一レバー４６Ａと、カム４１の中心軸Ｐを挟んで第一レバー４６Ａとは反対側に設けられ、カム４１に接する第二従節部４７Ｂを有し、カム４１の回転に対応して第二軸Ｏ２周りに回動する第二レバー４６Ｂと、一端８１ａがカム４１に連結され、他端８１ｂがカム４１の回転に対応して、第三表示部３０Ｃに対応する領域を往復移動可能なロッド８１を含むクランク機構８０と、を備えている。
【０１０９】
カム４１は、２４時間で中心軸Ｐ周りに一回転する。
第一レバー４６Ａの第一従節部４７Ａは、カム凸部４３が摺接可能なように湾曲形成されている。第一レバー４６Ａは、カム４１が回転しつつカム凸部４３が第一従節部４７Ａに摺接することにより、第一軸Ｏ１周りに回動する。
第一レバー４６Ａの第一軸Ｏ１を挟んで、第一従節部４７Ａとは反対側の端部は、第一表示部３０Ａのピエゾクロミズムフィルム３２の端部に接続された第一外力付与部４９Ａとなっている。第一外力付与部４９Ａは、第一レバー４６Ａの回動により、第一表示部３０Ａのピエゾクロミズムフィルム３２に対して引っ張り応力を付与する。
【０１１０】
第二レバー４６Ｂの第二従節部４７Ｂは、カム凸部４３が摺接可能なように湾曲形成されている。第二レバー４６Ｂは、カム４１が回転しつつカム凸部４３が第二従節部４７Ｂに摺接することにより、第二軸Ｏ２周りに回動する。
第二レバー４６Ｂの第二軸Ｏ２を挟んで、第二従節部４７Ｂとは反対側の端部は、第二表示部３０Ｂのピエゾクロミズムフィルム３２の端部に接続された第二外力付与部４９Ｂとなっている。第二外力付与部４９Ｂは、第二レバー４６Ｂの回動により、第二表示部３０Ｂのピエゾクロミズムフィルム３２に対して圧縮応力を付与する。
【０１１１】
クランク機構８０は、ロッド８１と第三外力付与部４９Ｃとを有している。
ロッド８１は、棒状に形成されている。ロッド８１の一端８１ａは、カム４１に対して、カム４１の中心軸Ｐよりも径方向の外側に位置する第三軸Ｏ３周りに回転可能に連結される。
ロッド８１の他端８１ｂには、第三外力付与部４９Ｃが設けられている。第三外力付与部４９Ｃは、ベース部材７６の表面を転動可能な円柱状に形成されている。第三外力付与部４９Ｃの外周面は、付勢部材７８によってベース部材７６側に向かって押圧されている。第三外力付与部４９Ｃは、カム４１の回転に対応して、ベース部材７６の表面をカム４１に対して接近離反する方向に往復移動するとともに、ベース部材７６の表面から突出する各押圧体５７と接する。
【０１１２】
カム凸部４３は、第一レバー４６Ａの第一従節部４７Ａに対して、午前０時から午前１２時までの間における所定時間だけ摺接する。第一レバー４６Ａは、カム凸部４３が第一従節部４７Ａに対して摺接しつつカム４１が時計回り方向に回転するにつれて、第一軸Ｏ１周りに反時計回り方向に回動する。このとき、第一レバー４６Ａの第一外力付与部４９Ａは、第一表示体３１Ａであるピエゾクロミズムフィルム３２に対して引張応力を付与する。したがって、午前の情報を示す第一表示体３１Ａは、増大する引張応力に対応して黄色から赤色に漸次変色することができる。
さらに、このとき、クランク機構８０により、第三外力付与部４９Ｃは、カム４１から離反する方向に移動する。各押圧体５７は、午前０時から午前１２時に対応する位置において、順に第三外力付与部４９Ｃと接する。これにより、各第三表示体３１Ｃは、午前０時から午前１２時に対応する位置において、順に黄色から赤色に変色することができる。
【０１１３】
また、カム凸部４３は、第二レバー４６Ｂの第二従節部４７Ｂに対して、午後０時から午後１２時までの間における所定時間だけ摺接する。第二レバー４６Ｂは、カム凸部４３が第二従節部４７Ｂに対して摺接しつつカム４１が時計回り方向に回転するにつれて、第二軸Ｏ２周りに時計回り方向に回動する。このとき、第二レバー４６Ｂの第二外力付与部４９Ｂは、第二表示体３１Ｂであるピエゾクロミズムフィルム３２に対して圧縮応力を付与する。したがって、午後の情報を示す第二表示体３１Ｂは、増大する圧縮応力に対応して黄色から赤色に漸次変色することができる。
さらに、このとき、クランク機構８０により、第三外力付与部４９Ｃは、カム４１に対して接近する方向に移動する。各押圧体５７は、午後０時から午後１２時に対応する位置において、順に第三外力付与部４９Ｃと接する。これにより、各第三表示体３１Ｃは、午後０時から午後１２時に対応する位置において、順に黄色から赤色に変色することができる。
【０１１４】
第六実施形態によれば、表示部３０は、午前であるとの情報を示す第一表示部３０Ａと、午後であるとの情報を示す第二表示部３０Ｂと、時刻の情報を示す第三表示部３０Ｃと、を有しているので、使用者は、一目で時に関する情報を把握できるとともに、表示機構５の意匠性および視認性をさらに向上させることができる。
【０１１５】
なお、本発明は、図面を参照して説明した上述の各実施形態に限定されるものではなく、その技術的範囲において様々な変形例が考えられる。
【０１１６】
各実施形態では、表示体３１が無負荷状態の時に黄色であり、表示体３１に外力が付与されたときに赤色に変色する場合を例に説明をしたが、色については各実施形態に限定されない。
【０１１７】
第四実施形態では、カム４１は、１２時間で一回転するように構成されていたが、２４時間で一回転するように構成されていてもよい。また、第四実施形態では、表示部３０の個数は４個であったが、表示部３０の個数は限定されない。したがって、例えば、カム４１の回転速度と表示する時刻に対応して、表示部３０を１２個設けてもよいし、２４個設けてもよい。
【０１１８】
第四実施形態では、カム４１の径方向の外側において、０時、３時、６時および９時に対応する位置に、それぞれ第一表示部３０Ａ〜第四表示部３０Ｄが配置されていた。また、第一表示部３０Ａ〜第四表示部３０Ｄは、第一の開口部１５ａ〜第四の開口部１５ｄから、第一表示体３１Ａ〜第四表示体３１Ｄが露出されることにより形成されていた。これに対して、例えば、時刻を表す数字が型抜きされたフィルムを第一の開口部１５ａ〜第四の開口部１５ｄを覆うように配置してもよい。また、第五実施形態においても同様に、時刻を表す数字が型抜きされたフィルムを透明な第一シリンダ５１Ａ〜第四シリンダ５１Ｄを覆うように配置してもよい。これにより、使用者は、数字が型抜きされたフィルムを通じて、数字の形状に対応して変色する第一表示部３０Ａ〜第四表示部３０Ｄを視認することができるので、時刻の情報を容易に把握できる。
【０１１９】
その他、本発明の趣旨を逸脱しない範囲で、上記した実施の形態における構成要素を周知の構成要素に置き換えることは適宜可能である。
【符号の説明】
【０１２０】
１・・・時計  ５・・・表示機構  １０・・・ムーブメント（時計用ムーブメント）  ３０・・・表示部  ３０Ａ・・・第一表示部（表示部）  ３０Ｂ・・・第二表示部（表示部）  ３０Ｃ・・・第三表示部（表示部）  ３０Ｄ・・・第四表示部（表示部）  ３１・・・表示体  ３１Ａ・・・第一表示体（表示体）  ３１Ｂ・・・第二表示体（表示体）  ３１Ｃ・・・第三表示体（表示体）  ３１Ｄ・・・第四表示体（表示体）  ３４・・・ピエゾクロミズム溶液  ４０・・・変色機構  ４１・・・カム  ４６・・・レバー  ４６Ａ・・・第一レバー  ４６Ｂ・・・第二レバー  ４７・・・従節部  ４７Ａ・・・第一従節部  ４７Ｂ・・・第二従節部  ４８・・・コイルバネ（弾性部）  ４９・・・外力付与部  ４９Ａ・・・第一外力付与部  ４９Ｂ・・・第二外力付与部  ４９Ｃ・・・第三外力付与部  ６０・・・規制部材  ６１・・・孔部  ６３・・・突起部  Ｏ・・・軸芯  Ｏ１・・・第一軸  Ｏ２・・・第二軸  Ｏ３・・・第三軸  Ｐ・・・中心軸
【図１】
2015166733.tif 000003
【図２】
2015166733.tif 000004
【図３】
2015166733.tif 000005
【図４】
2015166733.tif 000006
【図５】
2015166733.tif 000007
【図６】
2015166733.tif 000008
【図７】
2015166733.tif 000009
【図８】
2015166733.tif 000010
【図９】
2015166733.tif 000011
【図１０】
2015166733.tif 000012
【図１１】
2015166733.tif 000013
【図１２】
2015166733.tif 000014
【図１３】
2015166733.tif 000015
【図１４】
2015166733.tif 000016
【図１５】
2015166733.tif 000017
【図１６】
2015166733.tif 000018